(57)【要約】【課題】  犬小屋の中および周辺への害虫の侵入を阻止し、犬を害虫の攻撃から守る有用な方法を提供すること。【解決手段】    以下の発明により課題を解決できる。(1)  ２５℃での蒸気圧が１×１０-6mmHg以上であるピレスロイド系殺虫剤を含むプレート状物質であって、前記プレート状物質を犬小屋などのコンパニオンアニマルが常時居住する場所に貼付したり吊るしたりすることで前記場所内およびその周辺に害虫を近寄らせない機能を有する防虫組成物(2)  ２５℃での蒸気圧が１×１０-6mmHg以上であるピレスロイド系殺虫剤を含むプレート状物質を犬小屋などのコンパニオンアニマルが常時居住する場所に貼付することにより、前記場所内およびその周辺に害虫を近寄らせない方法(3)  犬小屋などのコンパニオンアニマルが常時居住する場所の中および周辺を害虫の侵入から守るための２５℃での蒸気圧が１×１０-6mmHg以上であるピレスロイド系殺虫剤を含むプレート状物質の使用。【特許請求の範囲】
【請求項１】
２５℃での蒸気圧が１×１０-6ｍｍＨｇ以上であるピレスロイド系殺虫剤を含むプレート状のものであって、前記テープ状物質を犬小屋などのコンパニオンアニマルが常時居住する場所に貼付したり吊るしたりすることで前記場所内およびその周辺に害虫を近寄らせない機能を有する防虫組成物。
【請求項２】
ピレスロイド系殺虫剤をプレート状物質に塗布することを特徴とする請求項１の防虫組成物。
【請求項３】
ピレスロイド系殺虫剤をプレート状物質に浸漬することを特徴とする請求項１の防虫組成物。
【請求項４】
犬小屋などのコンパニオンアニマルが常時居住する場所の入り口付近の貼付したり吊るしたりすることを特徴とする請求項１〜３の防虫組成物。
【請求項５】
プレート状物質が、ポリエチレン系物質、ポリプロピレン系物資、塩化ビニル系物質、塩化ビリニデン系物質、ポリアクリルニトリル系物質、ポリ酢酸ビニル系物資、ポリエステル系物質、またはこれらの共重合体、紙製物質との複合体、あるいはこれらを２種以上層状にした物質からなる請求項１〜４の防虫組成物。
【請求項６】
ピレスロイド系殺虫剤が、メトフルトリン（２，３，５，６−テトラフルオロ−４−メトキシメチルベンジル  ２，２−ジメチル−３−（プロプ−１−エニル）シクロプロパンカルボキシレ−ト）である請求項１〜６の防虫組成物
【請求項７】
ピレスロイド系殺虫剤が、トランスフルスリン｛（２，３，５，６−テトラフルオロベンジル  （１Ｒ−トランス）−３−（２，２−ジクロロビニル）−２，２−ジメチルシクロプロパンカルボキシレ−ト）｝である請求項１〜６の防虫組成物
【請求項８】
２５℃での蒸気圧が１×１０-6ｍｍＨｇ以上であるピレスロイド系殺虫剤を含むプレート状物質を犬小屋などのコンパニオンアニマルが常時居住する場所に貼付したり吊るしたりすることで、前記場所内およびその周辺に害虫を近寄らせない方法。
【発明の詳細な説明】
【技術分野】
【０００１】
本発明は、コンパニオンアニマルに害を与える害虫の忌避剤および忌避方法に関する。
【背景技術】
【０００２】
屋外で飼育されている犬などのコンパニオンアニマルから蚊などによる害虫の刺交から守るため、蚊取り線香、防虫ファン、液体蚊取り、忌避剤の畜体への散布などで害虫を駆除したり、または害虫をコンパニオンアニマルに近寄らせない（忌避）ようにしている。
【発明の開示】
【発明が解決しようとする課題】
【０００３】
既存の殺虫方法や害虫の忌避方法は以下のとおり課題が多い。すなわち、蚊取り線香では火を使用するし、雨が降れば消えてしまう。液体蚊取りは高温部分があり、コンパニオンアニマルが触れて火傷を起こす危険性がある。防虫ファンは通常乾電池を使用するので電池の交換の手間がありかつ高価である。害虫忌避スプレーは嫌がるコンパニオンアニマルに毎日散布する必要がある。
【０００４】
このように従来の害虫駆除方法や害虫の忌避方法は種々の課題があり、本発明はこれらの課題を解決し、コンパニオンアニマルに優しく、飼い主の手間も大幅に軽減される画期的な害虫を寄せ付けない方法を提供するものである。
【課題を解決するための手段】
【０００５】
本発明者等は、２５℃での蒸気圧が１×１０-6ｍｍＨｇ以上であるピレスロイド系殺虫剤を含むプレート状物質を犬小屋などのコンパニオンアニマルが常時居住する場所（以下、本居住場所という）に貼付したり吊るしたりすることにより、本居住場所内およびその周辺に害虫を近寄らせないことを発見し、本発明を完成した。
【０００６】
即ち、本発明は以下のものである。
（１）            ２５℃での蒸気圧が１×１０-6ｍｍＨｇ以上であるピレスロイド系殺虫剤を含むプレート状物質であって、前記プレート状物質を本居住場所に貼付したり吊るしたりすることで本居住場所内およびその周辺に害虫を近寄らせない機能を有する防虫組成物
（２）            ２５℃での蒸気圧が１×１０-6ｍｍＨｇ以上であるピレスロイド系殺虫剤を含むテープ状物質を犬小屋に貼付したり吊るしたりすることにより、本居住場所内およびその周辺に害虫を近寄らせない方法
（３）            本居住場所の中および周辺を害虫の侵入から守るための２５℃での蒸気圧が１×１０-6ｍｍＨｇ以上であるピレスロイド系殺虫剤を含むプレート状物質の使用。
【発明の効果】
【０００７】
本発明の２５℃での蒸気圧が１×１０-6ｍｍＨｇ以上であるピレスロイド系殺虫剤を含むプレート状物質の使用は、優れた害虫を寄せ付けない効果を示す。
【発明を実施するための最良の形態】
【０００８】
本発明に使用されるピレスロイド系薬剤（以下、本発明化合物という）は、２５℃での蒸気圧が１×１０-6ｍｍＨｇのものであり、メトフルトリン、プロフルトリン、トランスフルスリン、エムペントリンなどが使用でき、とりわけメトフルトリン｛（２，３，５，６−テトラフルオロ−４−メトキシメチルベンジル  ２，２−ジメチル−３−（プロプ−１−エニル）シクロプロパンカルボキシレ−ト）｝やトランスフルスリン｛（２，３，５，６−テトラフルオロベンジル  （１Ｒ−トランス）−３−（２．２−ジクロロビニル）−２，２−ジメチルシクロプロパンカルボキシレ−ト）｝の使用が好ましい。
【０００９】
本プレート状物質は、プレート製造原料としてのコンパウンド中に本発明化合物を含む樹脂マスターバッチとして混入させて製造することができる。他の方法として、プレート成型後本発明化合物自身または本発明化合物を含む油剤等の溶液を前記プレートに塗布することもできる。また、本発明化合物を含むフィルム状物質をプレートに貼付して使用することもできる。
【００１０】
本発明に使用されるピレスロイド系薬剤のプレート状物質（以下、本発明プレート状物質という）に添加される量は、０．０１〜３０％で好ましくは０．１〜２０％である。
【００１１】
本発明に使用されるプレート状物質とは、ポリエチレン系物質、ポリプロピレン系物資、塩化ビニル系物質、塩化ビリニデン系物質、ポリアクリルニトリル系物質、ポリ酢酸ビニル系物資、ポリエステル系物質、またはこれらの共重合体、紙製物質との複合体、あるいはこれらを２種以上層状にした物質からなるから成る。
【００１２】
本発明プレート状物質を貼付したり吊るしたりする犬小屋などのコンパニオンアニマルが常時居住する場所とは、例えば、犬小屋、小型犬や猫が住むベットやバスケット、コンパニオンアニマル用テント、モルモット、ウサギの小屋、ケージ、鶏の庭鶏小屋、鶏舎、ケージ、などである。
【００１３】
本発明プレート状物質は以下のように使用される。本発明プレート状物質を吊るして使用する場合は、本居住場所を構成する構造物の屋根のあたりから釘類に吊るしたり屋根の周りに紐を張って吊るしたりして使用する。あるいは、本居住場所自身または本居住場所の近辺にポールを立てて、そこから吊るしてもよい。
【００１４】
他の方法は、本発明プレート状物質を本居住場所自身または本居住場所近くの構造物に貼付して使用する方法である。これらの場合は本居住場所や本居住場所近くの構造物に接着する必要があり、通常のペースト状接着剤またはテープ状接着剤を使用して本居住場所自身または本居住場所近くの構造物へ接着することができる。
【００１５】
前記本発明プレート状物質を吊るしたり貼付したりする時の位置は、本居住場所の内外を同時に害虫の接近から守るため入り口付近に設置することが好ましい。また、天井等の本居住場所の内部での設置は、本居住場所内での効果を万全なものとすることができる。
【００１６】
しかし、犬が獰猛であったり何でも噛み付くような場合は、本発明プレート状物質を犬が飛びついても届かない位置に設置するか、または噛み付いても変形しないような工夫をしておく必要がある。
【００１７】
本発明テープ状物質の大きさは、使用される本居住場所の大きさにもよるが、幅１〜３０ｃｍ、長さ１０〜２ｍである。
【００１８】
本発明により接近を阻止すべき不快害虫としては例えば以下のものが上げられる。
双翅目害虫
アカイエカ、コガタアカイエカ等のイエカ類、ネッタイシマカ、ヒトスジシマカ等のヤブカ類、シナハマダラカ等のハマダラカ類、ユスリカ類、イエバエ、オオイエバエ、ヒメイエバエ等のイエバエ類、クロバエ類、ニクバエ類、タネバエ、タマネギバエ等のハナバエ類、ミバエ類、ショウジョウバエ類、チョウバエ類、アブ類、ブユ類、サシバエ類、ヌカカ類等
網翅目害虫
チャバネゴキブリ、クロゴキブリ、ワモンゴキブリ、トビイロゴキブリ、コバネゴキブリ等
膜翅目害虫
アリ類、スズメバチ類、アリガタバチ類、カブラハバチ等のハバチ類等
隠翅目害虫
イヌノミ、ネコノミ、ヒトノミ等
シラミ目害虫
ヒトジラミ、ケジラミ、アタマジラミ、コロモジラミ等
等翅目害虫
ヤマトシロアリ、イエシロアリ等
室内塵性ダニ類
コナヒョウヒダニ、ヤケヒョウヒダニ等のヒョウヒダニ類、ケナガコナダニ、ムギコナダニ等のコナダニ類、チリニクダニ、イエニクダニ、サナアシニクダニ等のニクダニ類、クワガタツメダニ、フトツメダニ等のツメダニ類、ホコリダニ類、マルニクダニ類、イエササラダニ類、ナミハダニ、カンザワハダニ、ミカンハダニ、リンゴハダニ等のハダニ類、フタトゲチマダニ等のマダニ類。
半翅目害虫
ヒメトビウンカ、トビイロウンカ、セジロウンカ等のウンカ類、ツマグロヨコバイ、タイワンツマグロヨコバイ等のヨコバイ類、アブラムシ類、カメムシ類、コナジラミ類、カイガラムシ類、グンバイムシ類、キジラミ類等
鞘翅目害虫
ヒメカツオブシムシ、ヒメマルカツオブシムシ、ウエスタンコーンルートワーム、サザンコーンルートワーム等のコーンルートワーム類、ドウガネブイブイ、ヒメコガネ等のコガネムシ類、コクゾウムシ、イネミズゾウムシ、ワタミゾウムシ、アズキゾウムシ等のゾウムシ類、チャイロコメノゴミムシダマシ、コクヌストモドキ等のゴミムシダマシ類、イネドロオイムシ、キスジノミハムシ、ウリハムシ等のハムシ類、シバンムシ類、ニジュウヤホシテントウ等のエピラクナ属 (Epilachna spp.)、ヒラタキクイムシ類、ナガシンクイムシ類、カミキリムシ類
【００１９】
本発明で用いられるピレスロイド系薬剤の防虫効力増強のため、ピペロニルブトキサイドのような共力剤も併用して使用することができる。また防カビ剤を加え、本発明プレート状物質にカビが生えて本発明化合物の蒸散が損なわれないようにすることもできる。さらには、消臭剤、芳香剤との併用も可能である。
【００２０】
本発明プレート状物質に各種文字や模様を施して、名札や装飾品としても使用することができ、犬との共生という意味ではより質も高い潤いのある生活を齎すことになる。
【実施例】
【００２１】
以下、実施例により本発明をさらに詳しく説明するが、本発明はこれらの例に限定されものではない。
床面５０ｃｍ×１ｍ、長辺側の高さ７０ｃｍ、長辺と平行の中央線部の高さ１ｍ、入り口の大きさが底辺３０ｃｍ、高さ５０ｃｍ、である木製犬小屋を２個用意した。一方の入り口の上部に、メトフルトリン５００ｍｇを練り込んだポリプロピレン製の厚さ１ｃｍで縦横がの３０ｃｍ×１０ｃｍのプレートを、犬小屋の入り口上部両面テープを使用して貼付した。他方の犬小屋にはプレート状物質を貼付しなかった。
床面２ｍ2、高さ２ｍで、入り口以外に網戸を設けた５０ｃｍ×５０ｃｍの開放系の窓を１ヶ所有する部屋を２部屋用意し、前記２つの犬小屋を１個ずつ前記部屋に入れた。
前記犬小屋を前記部屋に入れ、１日後、年齢５歳の１０ｋｇ程度の♂の柴犬を２頭用意し、前期犬を１頭ずつ前記部屋に放した。この２つの部屋のにそれぞれアカイエカ♀成虫２０匹ずつを入れ１日放置した。
前記犬を前記部屋から取り出し、耳、目、鼻の周りのアカイエカによる刺交跡を調べた。  
その結果、プレートを貼付した犬小屋の犬は刺効跡が観察されなかった。一方、プレートを貼付しなかった犬小屋の犬は、１２箇所の刺交跡が認められた。
更に、前記犬小屋を１週間そのままに放置し、１週間後別の犬とアカイエカ
２０匹を部屋に投入して１日後の犬のアカイエカによる刺交跡を調査した。
結果は、プレートを貼付した犬小屋の犬は刺効跡が観察されなかったが、プレートを貼付しなかった犬小屋の犬は、１０箇所の刺交跡が認められた
【産業上の利用可能性】
【００２２】
本発明プレート状物質は優れた害虫を寄せ付けない効果を示したことから、犬小屋などのコンパニオンアニマルが常時居住する場所の中および周辺への害虫の侵入を阻止し、コンパニオンアニマルを害虫の攻撃から守る手段として有用である。